(57)【要約】
【課題】　物の出し入れを容易にすべく持手が左右に十分開くと共に、鞄を持上げ易くすべく左右の持手を立直状態や任意の開閉位置に保持できる。
【解決手段】　鞄の持手の先端に固定する持手側部材３１の球状部分３１ｂと、その上部に設けた円柱状部分３１ａとを、鞄の両側面に固定する側面側部材３２の円筒開口穴３２ａと、直線状スリット３２ｃとに挿入して、いわゆるボールジョイントを構成する。球状部分３１ｂに摩擦部材３４をバネ部材３５で押圧する。これによりボールジョイントという意匠上の特徴を生かしつつ、鞄の持手を任意の開閉位置に保持することができる。
【選択図】　　　　図２
0003100449.tif 000002
【実用新案登録請求の範囲】
【請求項１】
　　　一対の鞄の持手をそれぞれ鞄の両側面に連結する取付け具であって、
　　　上記取付け具は、上記持手に固定される持手側部材と、上記側面に固定される側面側部材とを備え、
　　　上記持手側部材は、球状部分とこの球状部分の上部に設けた柱状部分とこの柱状部分の上部に設けた上記持手の固定部分とを有し、
　　　上記側面側部材は、上記球状部分を挿入可能な開口穴を有し、
　　　上記開口穴の他端は、上記球状部分の直径より小さい貫通穴が形成され、
　　　上記開口穴及び貫通穴の内周上部位置には、上記柱状部分が通過可能な直線状スリットが開口し、
　　　上記側面側部材は、上記球状部分と接触摺動して摩擦力を発生する摩擦部材を備え、
　　　上記持手側部材は、上記摩擦部材との摩擦力によって任意の開閉位置で保持できる
　　　ことを特徴とする鞄の持手の取付け具。
【請求項２】
　　　請求項１において、上記摩擦部材は、上記側面側部材に設けた挿入穴に挿入されたバネ部材によって上記球状部分に押圧されるものである
　　　ことを特徴とする鞄の持手の取付け具。
【請求項３】
　　　請求項１において、上記摩擦部材は、上記球状部分を挿入可能な開口穴の開口端側に取付けられた裏蓋によって支持され、
　　　上記摩擦部材は、上記裏蓋の弾性力によって上記球状部分の後端面を押圧するものである
　　　ことを特徴とする鞄の持手の取付け具。
【請求項４】
　　　請求項１〜３のいずれかの１において、上記摩擦部材は、上記球状部分の素材よりも低い硬度であることを特徴とする鞄の持手の取付け具。
【請求項５】
　　　請求項２〜３のいずれかにおいて、上記摩擦部材の替わりに球形ボールを備え、
　　　上記球状部分には、係止窪が設けてあり、
　　　上記持手側部材は立直状態にあるときに、上記球形ボールが上記係止窪に嵌合してその立直状態に保持される
　　　ことを特徴とする鞄の持手の取付け具。
【請求項６】
　　　請求項１〜５のいずれかの１において、上記球状部分は、支持軸によって上記側面側部材に回転自在に支持されている
　　　ことを特徴とする鞄の持手の取付け具。
【請求項７】
　　　一対の鞄の持手をそれぞれ鞄の両側面に連結する取付け具であって、
　　　上記取付け具は、上記持手に固定される持手側ヒンジと、上記側面に固定される側面側ヒンジと、この持手側ヒンジをこの側面側ヒンジに対して回転自在に支持するヒンジ軸とを備え、
　　　上記側面側ヒンジは、上記持手側ヒンジの回転面と接触摺動する摩擦部材を備え、
　　　上記摩擦部材は、上記持手側ヒンジの回転面の素材硬度より低いものであって、
　　　上記摩擦部材は上記側面側ヒンジに設けたバネ部材によって、上記持手側ヒンジの回転面に押圧され、
　　　上記持手側ヒンジは、上記摩擦部材との摩擦力によって任意の開閉位置で保持できる
　　　ことを特徴とする鞄の持手の取付け具。
【請求項８】
　　　一対の鞄の持手をそれぞれ鞄の両側面に連結する取付け具であって、
　　　上記取付け具は、上記持手に固定される持手側部材と、上記側面に固定される側面側部材とを備え、
　　　上記持手側部材は、球状部分とこの球状部分の上部に設けた柱状部分とこの柱状部分の上部に設けた上記持手の固定部分とを有し、
　　　上記側面側部材は、上記球状部分を挿入可能な貫通穴を有し、
　　　上記貫通穴の内周上部位置には、上記柱状部分が通過可能な直線状スリットが開口し、
　　　上記貫通穴の内周底部位置には、上記球状部分を上方に押圧する弾性部材が設けてあり、
　　　上記弾性部材の押圧面には、上記球状部分の底部がはまり込む凹面窪が形成してあり、
　　　上記持手側部材を上記貫通穴の軸に沿う方向に移動させた場合には、上記弾性部材が圧縮されて上記凹面窪から上記球状部分の底部が外れることによって、この持手側部材は、上記側面側部材に着脱可能であると共に、
　　　上記持手側部材は、上記弾性部材と上記球状部分との摩擦力によって任意の開閉位置で保持できる
　　　ことを特徴とする鞄の持手の取付け具。
【請求項９】
　　　一対の鞄の持手をそれぞれ鞄の両側面に連結する取付け具であって、
　　　上記取付け具は、上記持手に固定される持手側部材と、上記側面に固定される側面側部材とを備え、
　　　上記持手側部材は、球状部分とこの球状部分の上部に設けた柱状部分とこの柱状部分の上部に設けた上記持手の固定部分とを有し、
　　　上記側面側部材は、上記球状部分を挿入可能な貫通穴を有し、
　　　上記貫通穴の内周上部位置には、上記柱状部分が通過可能な直線状スリットが開口し、かつその内周水平位置には支持軸が設けてあり、
　　　上記球状部分には、上記柱状部分の軸心と直行し、かつその表面から中心に至る上記支持軸が通過可能な水平スリットが開口しており、
　　　上記水平スリットの下面部分には、上記球状部分の中心側の閉塞端位置においてこの閉塞端に沿って下方に切り欠いた凹溝が貫通形成され、
　　　上記球状部分は、上記支持軸が上記凹溝に嵌合した状態においてこの支持軸回りに回転自在に支持され、
　　　上記貫通穴の内周底部には、上記球状部分の底面を上方に押圧する弾性部材が設けてあり、
　　　上記持手側部材を立直状態において上記貫通穴の軸に沿う方向に移動させた場合には、上記弾性部材が圧縮され、上記支持軸が上記凹溝から外れて上記水平スリット内に移動することによって、この持手側部材は、上記側面側部材に着脱可能であると共に、
　　　上記持手側部材は、上記弾性部材と上記球状部分との摩擦力によって任意の開閉位置で保持できる
　　　ことを特徴とする鞄の持手の取付け具。
【考案の詳細な説明】
【技術分野】
【０００１】
　本考案は、例えば革製鞄の持手の取付け具に関する。
【背景技術】
【０００２】
　従来から左右の持手を革製鞄の両側面に連結する手段としては、例えばそれぞれの革製の持手の先端部分を、両側面に直接縫い付けたり、あるいは金属製のリングやヒンジを介して連結する手段が広く用いられている。しかるに持手の先端部分を鞄の両側面に縫い付けて直接固定する手段では、ある程度剛性を有する持手を左右に十分開くことができないために、物を出し入れする際に、この左右の持手が邪魔になるという問題があった。
【０００３】
　一方持手の先端部分を、金属製のリングやヒンジを介して連結する手段では、左右の持手はそれぞれ容易に下方に開くため、物の出し入れの邪魔にはならないものの、左右の持手を立直状態等の任意の位置に保持することができない。したがって販売店等で展示する際に見栄えが悪くなり、また左右の持手を掴んで鞄を持上げる際には、その都度例えば両手で左右の持手を立直状態にする必要があるため、鞄を持上げるのに不便であるという問題があった。
【０００４】
　このため、左右の持手の先端部分を、金属製のリングやヒンジを介して連結することによって、持手を十分開けるようにしつつ、一方立直状態においては、持手の先端に設けたマグネットによって、左右の持手を鞄の両側面に吸着保持したり、ホック等で係止する手段が用いられている。
【考案の開示】
【考案が解決しようとする課題】
【０００５】
　しかしこのような従来の手段では、次の問題点があった。すなわちマグネットを持手の先端に設け、さらにその吸着金属片を鞄の対向側面に設けると、持手の取付け部分の厚みが増加するため、鞄の使い易さが損なわれると共に、デザイン上も好ましくなくなる。またマグネットの磁気によって、鞄に収納した時計や電子部品等に悪影響を与える恐れがある。一方ホックで係止する手段では、その都度ホック等を着脱しなければならず、使用し難くなる。
【０００６】
　そこで本考案の目的は、物の出し入れを容易にすべく持手が左右に十分開くと共に、鞄を持上げ易くすべく左右の持手を立直状態や任意の開き位置に、容易に保持できる鞄の持手の取付け具を提供することにある。
【課題を解決するための手段】
【０００７】
　本考案による鞄の持手の取付け具の第１の特徴は、一対の鞄の持手をそれぞれ鞄の両側面に連結する取付け具であって、この取付け具は、この持手に固定される持手側部材と、この側面に固定される側面側部材とを備えていることにある。上記持手側部材は、球状部分と、この球状部分の上部に設けた柱状部分と、この柱状部分の上部に設けた上記持手の固定部分とを有している。一方上記側面側部材は、上記球状部分を挿入可能な開口穴を有し、この開口穴の他端は、上記球状部分の直径より小さい貫通穴が形成されている。また上記開口穴及び貫通穴の内周上部位置には、上記柱状部分が通過可能な直線状スリット部分が開口している。
【０００８】
　そして上記側面側部材は、上記球状部分と接触摺動して、摩擦力を発生する摩擦部材を備え、上記持手側部材は、この摩擦部材の摩擦力によって任意の開閉位置で保持できる。なお上記摩擦部材は、上記側面側部材に設けた挿入穴に挿入されたバネ部材によって、上記球状部分に押圧されるものであることが望ましい。また上記摩擦部材は、上記球状部分を挿入可能な開口穴の開口端側に取付けられた裏蓋によって支持され、この摩擦部材は、この裏蓋の弾性力によってこの球状部分の後端面を押圧するものであることが望ましい。さらに上記摩擦部材は、上記球状部分の素材よりも低い硬度であることが望ましい。なおここで鞄には、旅行用の手提げ鞄、ハンドバックおよびショルダーバックが含まれる。
【０００９】
　鞄の持手をボールジョイントで連結することは、極めて斬新なアイデアであって、意匠上の価値も高い。したがってこのように考案を構成することによって、意匠上の特徴を備えつつ、物の出し入れを容易にすべく持手を左右に十分開くことができると共に鞄を持上げ易く等すべく、左右の持手を立直状態を含む任意の開閉位置に容易に保持することができる。また摩擦部材に球状部分の素材より柔らかい素材を使用することによって、この球状部分の表面に擦り傷等が発生することを回避できる。
【００１０】
　本考案による鞄の持手の取付け具の第２の特徴は、上述した摩擦部材の替わりに球形ボールを備え、一方球状部分には係止窪が設けてあることにある。そして持手側部材は、立直状態にあるときに上記球形ボールが上記係止窪に嵌合して、その立直状態に保持される。
【００１１】
　摩擦部材の替わりに球形ボールを使用し、この球形ボールをバネ部材または裏蓋で球状部分に押圧することによって、この球形ボールをこの球状部分の表面上で容易に回転移動させることができると共に、持手側部材の立直状態位置において、この球形ボールを容易に係止窪に着脱可能にすることができる。したがって持手を容易に立直状態に保持できると共に、容易に左右に開くことができる。また球形ボールは、球状部分の表面上を回転移動するために、この球状部分の表面に擦り傷等が発生することを回避できる。
【００１２】
　本考案による鞄の持手の取付け具の第３の特徴は、上述した球状部分は、支持軸によって上記側面側部材に回転自在に支持されていることにある。
【００１３】
　持手の素材、形状あるいは構成によっては、この持手にねじり力が残存する場合がある。しかるに上述したような、球状部分が柱状部分を中心として回転自在となる構成では、持手のねじれが容易に戻ってしまうため、持手の形状が崩れて見栄えが悪くなってしまう。したがってこのように考案を構成することによって、ねじれの反力によって持手の形状が崩れることを防止できる。
【００１４】
　本考案による鞄の持手の取付け具の第４の特徴は、一対の鞄の持手をそれぞれ鞄の両側面に連結する取付け具であって、この取付け具は、この持手に固定される持手側ヒンジと、この側面に固定される側面側ヒンジと、この持手側ヒンジをこの側面側ヒンジに対して回転自在に支持するヒンジ軸とを備えていることにある。また上記側面側ヒンジは、上記持手側ヒンジの回転面と接触摺動する摩擦部材を備え、この摩擦部材は、この持手側ヒンジの回転面の素材硬度より低いものになっている。そして上記摩擦部材は、上記側面側ヒンジに設けたバネ部材によって、上記持手側ヒンジの回転面に押圧される。したがって上記持手側ヒンジは、上記摩擦部材との摩擦力によって、任意の開閉位置で保持できる。
【００１５】
　このように鞄の持手の取付け具をヒンジタイプで構成することによっても、持手を左右に十分開くことができると共に、鞄を持上げ易く等すべく左右の持手を、立直状態を含む任意の開き位置に容易に保持できる。また摩擦部材に持手側ヒンジの回転面の素材硬度より柔らかい素材を使用することによって、この持手側ヒンジの回転面に擦り傷等が発生することを回避できる。
【００１６】
　本考案による鞄の持手の取付け具の第５の特徴は、持手側部材を側面側部材に着脱可能としたことにある。すなわち一対の鞄の持手をそれぞれ鞄の両側面に連結する取付け具であって、この取付け具は、上記持手に固定される持手側部材と、上記側面に固定される側面側部材とを備えている。上記持手側部材は、球状部分とこの球状部分の上部に設けた柱状部分とこの柱状部分の上部に設けた上記持手の固定部分とを有している。上記側面側部材は、上記球状部分を挿入可能な貫通穴を有し、この貫通穴の内周上部位置には、上記柱状部分が通過可能な直線状スリットが開口し、この貫通穴の内周底部には、上記球状部分を上方に押圧する弾性部材が設けてある。また上記弾性部材の押圧面には、上記球状部分の底部がはまり込む凹面窪が形成してある。
【００１７】
　そして上記持手側部材を上記貫通穴の軸に沿う方向に移動させた場合には、上記弾性部材が圧縮されて上記凹面窪から上記球状部分の底部が外れることによって、この持手側部材は、上記側面側部材に着脱可能であると共に、この持手側部材は、上記弾性部材と上記球状部分との摩擦力によって任意の開閉位置で保持できる。
【００１８】
　このように考案を構成すれば、球状部分を水平方向に移動した場合にのみ、持手側部材が着脱可能となる。一方鞄を持つ時には、鞄の重量は下方に掛かり、水平方向の分力は小さいために、持手側部材の球状部分と柱状部分との連結部分が直線状スリットあたって、持手側部材が側面側部材から外れることはない。したがって磨耗や損傷し易い鞄の持手部材を容易に交換したり修理することが可能になる。なお弾性部材による押圧力をある程度強くしておけば、持手側部材が不用意に側面側部材から外れることを防止できる。
【００１９】
　また球状部分を支持軸によって回転自在に支持しつつ、着脱可能にする場合には、次のように構成する。すなわち一対の鞄の持手をそれぞれ鞄の両側面に連結する取付け具であって、この取付け具は、この持手に固定される持手側部材と、この側面に固定される側面側部材とを備えている。上記持手側部材は、球状部分と、この球状部分の上部に設けた柱状部分と、この柱状部分の上部に設けた上記持手の固定部分とを有している。また上記側面側部材は、上記球状部分を挿入可能な貫通穴を有し、この貫通穴の内周上部位置には、上記柱状部分が通過可能な直線状スリットが開口し、かつその内周水平位置には支持軸が設けてある。
【００２０】
　上記球状部分には、上記柱状部分の軸心と直行し、かつその表面から中心に至る上記支持軸が通過可能な水平スリットが開口しており、この水平スリットの下面部分には、上記球状部分の中心側の閉塞端位置において、この閉塞端に沿って下方に切り欠いた凹溝が貫通形成されている。また上記球形部分は、上記支持軸が上記凹溝に嵌合した状態においてこの支持軸回りに回転自在に支持され、一方上記貫通穴の内周底部には、上記球状部分の底面を上方に押圧する弾性部材が設けてある。
【００２１】
　そして上記持手側部材を立直状態において、上記貫通穴の軸に沿う方向に移動させた場合には、上記弾性部材が圧縮され、上記支持軸が上記凹溝から外れて上記水平スリット内に移動することによって、この持手側部材は、上記側面側部材に着脱可能であると共に、この持手側部材は、上記弾性部材と上記球状部分との摩擦力によって任意の開閉位置で保持できる。
【００２２】
　このように考案を構成すれば、例えばひったくりにあったときや、満員電車内等で、不用意に水平方向に強い力が掛かった場合にも、鞄の持手が外れてしまうことを防止できる。すなわち本考案は、鞄の持手が立直状態のままで、かつ水平方向に強制的に移動する場合にのみ、支持軸が球状部分の凹溝から水平スリット内に外れ、これにより球状部材が側面側部材から着脱できるようになっている。一方鞄の通常の使用時、すなわち鞄の持手が立直状態にある場合に水平方向に強い力が掛かると、鞄の持手は水平方向に引っ張られて傾くために、球状部分の水平スリットも水平位置から傾くので、この状態においては、この球状部分を水平方向に移動させることが困難になる。
【考案の効果】
【００２３】
　ボールジョイントの球状部分を摩擦部材で押圧することによって、意匠上の価値が高いボールジョイントを使用しつつ、物の出し入れを容易にすべく持手を左右に十分開くことができると共に、鞄を持上げ易く等すべく左右の持手を、立直状態を含む任意回転位置に容易に保持することができる。また摩擦部材に球状部分の素材より柔らかい素材を使用することによって、この球状部分の表面に擦り傷等が発生することを回避できる。
【００２４】
　摩擦部材の替わりに球形ボールを使用して、持手が立直状態にあるときに、この球形ボールを球状部分に設けた係止窪に嵌合させることによって、上述したのと同様の作用効果を奏することができる。また支持軸によって球状部分を回転支持することによって、持手がねじれることを防止することができる。球状のジョイントの替わりにヒンジタイプのジョイントを使用して、持手側ジョイントを摩擦部材で押圧することによって、上述したのと同様の作用効果を奏することができる。
【００２５】
　球状部分を水平方向に移動した場合にのみ、持手側部材を着脱可能とすることによって、鞄を持つ時に不用意に持手側部材が側面側部材から外れることを防止しつつ、磨耗や損傷し易い鞄の持手部材を容易に交換したり修理することが可能になる。また球状部分に水平スリットを開口し、この水平スリットの閉塞端下側に設けた凹溝に支持軸を嵌合させ、弾性部材によってこの球状部分を上方に押圧させることによって、例えばひったくりにあったときや、満員電車内等で、不用意に水平方向に強い力が掛かった場合にも、鞄の持手が外れてしまうことを防止できる。
【考案を実施するための最良の形態】
【００２６】
　図１〜図４に示す本考案は、一対の鞄の持手１をそれぞれ鞄２の両側面２１に連結する取付け具３であって、この取付け具は、この持手に固定される持手側部材３１と、この両側面に固定される側面側部材３２とを備えている。持手側部材３１は真鍮鋳物からなり、球状部分３１ｂと、この球状部分の上部に設けた円柱状部分３１ａと、この円柱状部分の上部に設けた鞄の持手１の固定部分３１ｄとを有している。なお鞄の持手１は、その先端部分を固定部分３１ｄと止め板１１とで挟み、ビス１２で固定する。
【００２７】
　一方側面側部材３２は厚板状の真鍮鋳物からなり、球状部分３１ｂを後端側から挿入可能な円筒開口穴３２ａを有し、この円筒開口穴の他端は、この球状部分の直径より小さい貫通穴３２ｂが形成されている。また円筒開口穴３２ａ及び貫通穴３２ｂの内周上部位置には、円柱状部分３１ａが通過可能な直線状スリット部分３２ｃが開口している。また側面側部材３２の円筒開口穴３２ａの内周底部には、挿入穴３２ｅが設けてあって、この挿入穴に合成ゴムからなる摩擦部材３４とバネ部材３５とが挿着してある。
【００２８】
　次に持手側部材３１と側面側部材３２との、組立および作用を説明する。まず持手側部材３１の球状部分３１ｂと円柱状部分３１ａとを、側面側部材３２の後端面から、それぞれ円筒開口穴３２ａと直線状スリット部分３２ｃとに挿入し、この側面側部材３２の後端面に、裏板２２と止め板２３とを鞄２の側面２１を挟んでビス２４で取付ける。また球状部分３１ｂを円筒開口穴３２ａに挿入するときには、バネ部材３５と摩擦部材３４とを挿入穴３２ｅに挿入しておく。なお図４に示すように、側面側部材３２の左右方向の厚さは、球状部分３１ｂの直径より小さくしてあり、この球状部分を円筒開口穴３２ａに挿着したときには、この球状部分の左端がこの側面側部材の貫通穴３２ｂの左端から突出して、この球状部分が外部から見えるようにデザイン上の工夫がなされている。
【００２９】
　したがって、持手側部材３１の球状部分３１ｂは、裏板２２と貫通穴３２ｂとによって前後方向を拘束され、円筒開口穴３２ａによって左右上下方向を拘束されるが、一方円柱状部分３１ａは、直線状スリット部分３２ｃを通過して自由に（図４において反時計方向に）開閉させることができる。そしてバネ部材３５によって摩擦部材３４が、常に球状部分３１ｂに押圧されて接触摺動しているので、両者の摩擦力によって持手側部材３１を任意の開閉位置で保持することができる。
【００３０】
　図５に示す鞄の持手の取付け具１０３は、基本的には図１〜図４に示した取付け具３と同等の構成であるが、持手側部材１３１の球状部分１３１ｂに、裏蓋１２２の弾性力によって摩擦部材１３４が押圧されている点が異なる。すなわち裏蓋１２２は、薄い真鍮板で構成され、そのほぼ中央が凹面状に形成してある。この凹面の部分には、合成ゴムからなる摩擦部材１３４が、ケース１２２ａを介して取付けてある。そして裏蓋１２２を、側面側部材１３２の後端面に取り付けたときにこの裏蓋の弾性力によって、摩擦部材１３４が球状部分１３１ｂの後端面に押圧されて、両者が接触摺動する。なお理解し易くするために、図１〜図４に示す部品等と同等な部品等には、図１〜図４に示す部品番号に１００を加えた番号にしてある。
【００３１】
　図６に示す鞄の持手の取付け具２０３は、基本的には図１〜図４に示した取付け具３と同等の構成であるが、摩擦部材３４の替わりに、球形ボール２３４を使用している点が異なる。すなわち持手側部材２３１の球状部分２３１ｂの下端には、係止窪２３１ｅが設けてあり、この持手側部材が立直状態にあるときに、バネ部材２３５によって球形ボール２３４が、この係止窪に嵌合する。なお理解し易くするために、図１〜図４に示す部品等と同等な部品等には、図１〜図４に示す部品番号に２００を加えた番号にしてある。
【００３２】
　したがって持手２０１を容易に立直状態に保持できると共に、容易に左右に開くことができる。また球形ボール２３４は、球状部分２３１ｂの表面上を回転移動するために、この球状部分の表面に擦り傷等が発生することを回避できる。
【００３３】
　図７〜図８に示す鞄の持手の取付け具３０３は、基本的には図１〜図４に示した取付け具と同等の構成であるが、持手側部材３３１の球状部分３３１ｂが、支持軸３３１ｃによって支持されている点が異なる。すなわち球状部分３３１ｂには、この球状部分の中心軸を中心として、図７において左右方向に延伸する円柱突起部が一体的に設けてあって、この球状部分の支持軸３３１ｃを形成している。一方側面側部材３３２の円筒開口穴３３２ａの左右内周面には、この側面側部材の後端面から前方向に水平溝３３２ｇが設けてある。
【００３４】
　そしてこの水平溝３３２ｇに支持軸３３１ｃを挿入することによって、球状部分３３１ｂを、この支持軸回りに回転自在に支持することができる。なお理解し易くするために、図１〜図４に示す部品等と同等な部品等には、図１〜図４に示す部品番号に３００を加えた番号にしてある。したがってこのように考案を構成することによって、ねじれの反力によって持手３０１の形状が崩れることを防止できる。
【００３５】
　図９〜図１０に示す鞄の持手の取付け具４０３は、いわゆるヒンジタイプのものである。すなわち一対の鞄の持手４０１を、それぞれ鞄の両側面に連結する取付け具４０３であって、この取付け具は、この持手に固定される持手側ヒンジ４３１と、この鞄の側面に固定される側面側ヒンジ４３２と、この持手側ヒンジをこの側面側ヒンジに対して回転自在に支持するヒンジ軸４３３とを備えている。なお鞄及び鞄の持手４０１は、それぞれ革製であって、この鞄の持手は、円形断面を有する逆Ｕ字型になっていて、この鞄の両側面の上部に取付けられている。
【００３６】
　さて持手側ヒンジ４３１は、略Ｔ字型の真鍮鋳物からなり、Ｔ字型の足の部分４３１ａは、四角柱の形状に形成してある。また足の部分４３１ａの下端部４３１ｂは凸半円断面形状に形成してあり、後述する側面側ヒンジ４３２との回転時の干渉を回避している。なお下端部４３１ｂの凸半円断面形状の中心には、側面側ヒンジ４３２に対して回転自在に支持するヒンジ軸４３３を挿入する貫通穴４３１ｃが設けてある。また持手側ヒンジ４３１の上部には、鞄の持手４０１の先端部を固定する固定部４３１ｄが設けてある。なお鞄の持手４０１の先端部は、固定部４３１ｄと止め板４１１とで挟み、ビス４１２によって固定している。
【００３７】
　側面側ヒンジ４３２は、略Ｕ字型の真鍮鋳物からなり、このＵ字型の内側両側面４３２ａに、持手側ヒンジ４３１の足の部分４３１ａが挟持される。またＵ字型の内側底面４３２ｂは、凸半円断面形状に形成してあり、上述したように持手側ヒンジ４３１の下端部４３１ｂとの干渉を回避して、この持手側ヒンジが９０度以上回転できるようにしている。また側面側ヒンジ４３２には、持手側ヒンジ４３１を回転自在に支持するヒンジ軸４３３を挿入する支持穴４３２ｇが設けてある。そして側面側ヒンジ４３２の後面には、裏板４２２と止め板４２３とが、ビス４２４で固定される。なお側面側ヒンジ４３２は、裏板４２２と止め板４２３との間に、鞄の側面を挟むようにして固定される。
【００３８】
　さて側面側ヒンジ４３２のＵ字型の内周底部４３２ｂには、挿入穴４３２ｅが形成され、この挿入穴に、合成ゴムからなる摩擦部材４３４とバネ部材４３５とが挿入されている。したがってバネ部材４３５の押圧力によって、摩擦部材４３４は、持手側ヒンジ４３１の下端部４３１ｂに押圧され、両者の摩擦力によって、この持手側ヒンジを任意の回転位置に保持することができる。
【００３９】
　なおヒンジ軸４３３は、側面側ヒンジ４３２のＵ字型部分に設けた左右の支持穴４３２ｇ，４３２ｇで支持されるが、図１０（Ａ）右側の支持穴４３２ｇの開口端は、このヒンジ軸が抜けないように、ローズ付けによってプラグ４３２ｆで閉じてある。
【００４０】
　図１１〜図１２は、持手側部材５３１が着脱可能である鞄の持手の取付け具５０３を示している。すなわち鞄の持手の取付け具５０３は、一対の鞄の持手５０１をそれぞれ鞄の両側面に連結する取付け具であって、この取付け具は、上記持手に固定される持手側部材５３１と、上記側面に固定される側面側部材５３２とを備えている。持手側部材５３１は、球状部分５３１ｂとこの球状部分の上部に設けた円柱状部分５３１ａと、この円柱状部分の上部に設けた上記持手の固定部分５３１ｄとを有している。
【００４１】
　側面側部材５３２は、球状部分５３１ｂを挿入可能な貫通穴５３２ａを有し、
この貫通穴の内周上部位置には、円柱状部分５３１ａが通過可能な直線状スリット５３２ｃが開口している。貫通穴５３２ａの内周底部位置には、挿入穴５３２ｅが開口しており、この挿入穴にバネ部材５３５と摩擦部材５３４とが挿入され、この摩擦部材が球状部分５３１ｂを上方に押圧している。そして摩擦部材５３４の押圧面には、球状部分５３１ｂの底部がはまり込む凹面窪５３４ａが形成してある。
【００４２】
　そして持手側部材５３１を、貫通穴５３２ａの軸に沿う方向（図１２の左方向）に移動させた場合には、バネ部材５３５が圧縮されて凹面窪５３４ａから球状部分５３１ｂの底部が外れることによって、この持手側部材は、側面側部材５３２に着脱可能となる。また持手側部材５３１は、摩擦部材５３４と球状部分５３１ｂとの摩擦力によって任意の開閉位置で保持できる。なおバネ部材５３５と摩擦部材５３４との替わりに、プラスチック材等の伸縮可能な弾性部材を、挿入穴５３２ｅに挿入して、その弾性部材の押圧面に凹面窪を設けてもよい。
【００４３】
　図１３〜図１４は、支持軸６３３によって回転自在に支持されている持手側部材６３１が、着脱可能である鞄の持手の取付け具６０３を示している。すなわち
一対の鞄の持手６０１を、それぞれ鞄の両側面に連結する取付け具６０３であって、この取付け具は、この持手に固定される持手側部材６３１と、上記側面に固定される側面側部材６３２とを備えている。持手側部材６３１は、球状部分６３１ｂと、この球状部分の上部に設けた円柱状部分６３１ａと、この円柱状部分の上部に設けたこの持手の固定部分６３１ｄとを有している。
【００４４】
　側面側部材６３２は、球状部分６３１ｂを挿入可能な貫通穴６３２ａを有し、
この貫通穴の内周上部位置には、円柱状部分６３１ａが通過可能な直線状スリット６３２ｃが開口し、かつその内周水平位置には支持軸６３３が設けてある。なお支持軸６３３は、側面側部材６３２に設けた一端開口穴６３２ｇに挿入され、その開口端は抜け止め防止用のプラグ６３２ｆが埋め込んである。
【００４５】
　一方球状部分６３１ｂには、円柱状部分６３１ａの軸心と直行し、かつその表面から中心に至る、支持軸６３３が通過可能な水平スリット６３１ｆが開口している。水平スリット６３１ｆの下面部分には、球状部分６３１ｂの中心側の閉塞端位置において、この閉塞端に沿って下方に切り欠いた凹溝６３１ｇが貫通形成されている。そして球状部分６３１ｂは、支持軸６３３が凹溝６３１ｇに嵌合した状態において、この支持軸回りに回転自在に支持されている。また貫通穴６３２ａの内周底部には、挿入穴６３２ｅが開口しており、この挿入穴には、バネ部材６３５と摩擦部材６３４とが挿入され、この摩擦部材が球状部分６３１ｂの底面を上方に押圧している。
【００４６】
　そして持手側部材６３１を立直状態において、貫通穴６３２ａの軸に沿う方向（図１４の左方向）に移動させた場合には、バネ部材６３５が圧縮され、支持軸６３３が凹溝６３１ｇから外れて水平スリット６３１ｆ内に移動することによって、この持手側部材は、側面側部材６３２に着脱可能であると共に、この持手側部材は、摩擦部材６３４と球状部分６３１ｂとの摩擦力によって、任意の開閉位置で保持できる。
【産業上の利用可能性】
【００４７】
　物の出し入れを容易にすべく持手が左右に十分開くと共に、鞄を持上げ易くすべく左右の持手を立直状態や任意の開き位置に容易に保持できるので、鞄のデザインを向上させ得ると共に、使い勝手を良くすることができる。
【図面の簡単な説明】
【００４８】
【図１】鞄の持手と持手の取付け具の全体図である。
【図２】ボールジョイントを使用した取付け具の構成部品図である。
【図３】ボールジョイントを使用した取付け具の正面一部断面図である。
【図４】ボールジョイントを使用した取付け具の側面一部断面図である。
【図５】ボールジョイントを使用した他の取付け具の側面一部断面図である。
【図６】ボールジョイントを使用した他の取付け具の側面一部断面図である。
【図７】ボールジョイントを使用した他の取付け具の正面一部断面図である。
【図８】ボールジョイントを使用した他の取付け具の側面一部断面図である。
【図９】ヒンジタイプを使用した取付け具の構成部品図である。
【図１０】ヒンジタイプを使用した取付け具の正面と側面の一部断面図である。
【図１１】ボールジョイントを使用した着脱可能な取付け具の正面一部断面図である。
【図１２】ボールジョイントを使用した着脱可能な取付け具の側面一部断面図である。
【図１３】ボールジョイントを使用した着脱可能な他の取付け具の正面一部断面図である。
【図１４】ボールジョイントを使用した他の着脱可能な取付け具の側面一部断面図である。
【符号の説明】
【００４９】
１，１０１〜６０１　　　　　　　　　　　　　　　　鞄の持手
２　　　　　　　　　　　　　　　　　　　　　　　　鞄
２１　　　　　　　　　　　　　　　　　　　　　　　側面
２２，１２２〜４２２　　　　　　　　　　　　　　　裏蓋
２３１ｅ　　　　　　　　　　　　　　　　　　　　　係止窪
２３４　　　　　　　　　　　　　　　　　　　　　　球形ボール
３，１０３〜６０３　　　　　　　　　　　　　　　　持手の取付け具
３１，１３１〜３３１，５３１〜６３１　　　　　　　持手側部材
３１ａ，１３１ａ〜３３１ａ，５３１ａ〜６３１ａ　　円柱状部分（柱状部分）
３１ｂ，１３１ｂ〜３３１ｂ，５３１ｂ〜６３１ｂ　　球状部分
３１ｄ，１３１ｄ〜３３１ｄ，５３１ｄ〜６３１ｄ　　固定部分
３２，１３２〜３３２，５３２〜６３２　　　　　　　側面側部材
３２ａ，１３２ａ〜３３２ａ，５３２ａ〜６３２ａ　　開口穴、貫通穴
３２ｂ，１３２ｂ〜３３２ｂ　　　　　　　　　　　　貫通穴
３２ｃ，１３２ｃ〜６３２ｃ　　　　　　　　　　　　直線状スリット
３２ｅ，２３２ｅ〜６３２ｅ　　　　　　　　　　　　挿入穴
３３１ｃ　　　　　　　　　　　　　　　　　　　　　支持軸
３４，１３４，３３４〜６３４　　　　　　　　　　　摩擦部材
３５，２３５〜６３５　　　　　　　　　　　　　　　バネ部材（弾性部材）
４３１　　　　　　　　　　　　　　　　　　　　　　持手側ヒンジ
４３２　　　　　　　　　　　　　　　　　　　　　　側面側ヒンジ
４３３　　　　　　　　　　　　　　　　　　　　　　ヒンジ軸
５３４ａ　　　　　　　　　　　　　　　　　　　　　凹面窪
６３１ｆ　　　　　　　　　　　　　　　　　　　　　水平スリット
６３１ａ　　　　　　　　　　　　　　　　　　　　　凹溝
６３３　　　　　　　　　　　　　　　　　　　　　　支持軸
【図１】
0003100449.tif 000003
【図２】
0003100449.tif 000004
【図３】
0003100449.tif 000005
【図４】
0003100449.tif 000006
【図５】
0003100449.tif 000007
【図６】
0003100449.tif 000008
【図７】
0003100449.tif 000009
【図８】
0003100449.tif 000010
【図９】
0003100449.tif 000011
【図１０】
0003100449.tif 000012
【図１１】
0003100449.tif 000013
【図１２】
0003100449.tif 000014
【図１３】
0003100449.tif 000015
【図１４】
0003100449.tif 000016